(57)【要約】【課題】  レンズ鏡筒を構成する複数のリングの径方向の積層数を低減することで小径化を図ったレンズ鏡筒を提供する。【解決手段】  主筒１内において光軸方向に移動可能なレンズ２，３と、回転操作可能なズームリング４及びフォーカスリング５と、ズームリング４により回転されるカムリング６と、主筒１内に配設されてカムリング６の回転により光軸方向に移動される移動リング７と、フォーカスリング５により回転されレンズ枠を保持して移動リング７にヘリコイド係合されるヘリコイドリング８とを備える。レンズ枠２１をヘリコイドリング８に対して径方向に積層させる必要がなくなり、レンズ鏡筒の小径化が実現できる。【選択図】  図１
2006145562.tif 000002
【特許請求の範囲】
【請求項１】
主筒内において光軸方向に移動可能なレンズと、前記主筒の外周に配設されて前記レンズをズーミング動作させるための回転操作可能なズームリングと、前記主筒の外周に配設されて前記レンズをフォーカシング動作させるための回転操作可能なフォーカスリングと、前記主筒の内部に配設されて前記ズームリングにより回転されるカムリングと、前記主筒の内部に配設されて当該カムリングの回転により光軸方向に移動される移動リングと、前記フォーカスリングにより回転されるヘリコイドリングと、前記ヘリコイドリングに保持された前記レンズのレンズ枠とを備え、前記ヘリコイドリングは前記移動リングにヘリコイド係合されていることを特徴とするレンズ鏡筒。
【請求項２】
前記主筒は内筒と外筒とを備え、前記内筒の外周に前記カムリングが配設され、前記外筒の外周に前記ズームリングと前記フォーカスリングが配設され、前記移動リングと前記ヘリコイドリングは前記カムリングと前記フォーカスリングとの間に径方向に重ねられた状態で配設されていることを特徴とする請求項１に記載のレンズ鏡筒。
【請求項３】
前記レンズは光軸回りの回転が規制されているレンズであることを特徴とする請求項１又は２に記載のレンズ鏡筒。
【請求項４】
前記レンズは複数のレンズのうち前群レンズであることを特徴とする請求項３に記載のレンズ鏡筒。
【請求項５】
前記カムリングの外周面に外面カムが形成され、前記移動リングは当該外面カムにカム係合されていることを特徴とする請求項１ないし４のいずれかに記載のレンズ鏡筒。
【請求項６】
前記ヘリコイドリングと前記レンズのレンズ枠とを回転方向に自由で光軸方向に一体のバヨネット構造で結合していることを特徴とする請求項１ないし５のいずれかに記載のレンズ鏡筒。
【発明の詳細な説明】
【技術分野】
【０００１】
本発明はズーミングとフォーカシングを行うことが可能なレンズ鏡筒に関し、特に前玉繰り出しフォーカス方式のレンズ鏡筒に適用して好適なレンズ鏡筒に関するものである。
【背景技術】
【０００２】
ズーミング時やフォーカシング時に前群レンズが移動するいわゆる前玉繰り出し方式のレンズ鏡筒では、前群レンズのレンズ枠に取着したフィルタやフード等のアクセサリが光軸回りに回転位置が変化されることがないように前群レンズを光軸回りに回転しない構成がとられている。特許文献１では、ズーミング時に前群レンズを含むレンズ鏡筒内のレンズが光軸回りに回転しないように構成するとともに、フォーカシング時にはレンズの光軸回り位置を保ったまま光軸方向に移動させる構成が提案されている。しかしながら、特許文献１の技術はフォーカシング時に前群レンズのみを光軸方向に移動させる構成にはなっておらず、また当該レンズ鏡筒を構成する複数のリングの具体的な構成は明らかにされていない。
【特許文献１】特開平１１−８４２０３号公報
【０００３】
そこで、本発明者が知得している従来の前玉繰り出しフォーカス方式のレンズ鏡筒の一例を図６に示す。このレンズ鏡筒は内筒１１と外筒１２とをネジ１３により一体化して主筒１を構成し、前記内筒１１の内部には複数のレンズ、ここでは前群レンズ２と後群レンズ３の２つのレンズ群をそれぞれ光軸方向に移動可能に支持している。前記外筒１２の外周にはズームリング４とフォーカスリング５をそれぞれ光軸回りに回転操作可能に支持し、前記内筒の外周に前記ズームリング４と一体に回転されるカムリング６を光軸回り方向に回転可能に支持している。なお、以降の説明において単に「回転」と称するときには光軸回りに回転することを言うものとする。そして、前記後群レンズ３のレンズ枠３１を前記カムリング６の内面カム６１に係合させ、カムリング６の回転に伴って後群レンズ３が光軸方向に移動するように構成する。また、前記カムリング６の外周には、当該カムリング６の外面カム突起６２に係合してカムリング６の回転に伴って光軸方向に移動する移動リング７Ａが嵌合され、さらにこの移動リング７Ａの外周にはフォーカスリング５が回転操作されたときにこれと一体に回転されるヘリコイドリング８Ａが移動リング７Ａに対して光軸方向に一体的に移動できるように嵌合されている。このヘリコイドリング８Ａは外周面に雄ヘリコイド（螺旋溝）８４が形成されている。そして、前記前群レンズ２のレンズ枠２１の外周に沿って設けられた光軸方向のスリーブ部２４が前記ヘリコイドリング８Ａの外周位置にまで延長されており、このスリーブ部２４の内面に形成された雌ヘリコイド２５が前記ヘリコイドリング８Ａの雄ヘリコイド８４にヘリコイド結合されている。なお、前記前群レンズ２のレンズ枠２１は内筒の内面に光軸方向に設けられた図には表れないキー溝に嵌合しており、内筒内で回転されることはない。
【０００４】
この従来のレンズ鏡筒では、ズーミング時には、ズームリング４を回転操作すると、カムリング６が回転し、当該カムリング６の内面カム６１によって後群レンズ３が光軸方向に移動される。また、外面カム６２によって移動リング７Ａが光軸方向に移動され、この移動リング７Ａの移動に伴ってヘリコイドリング８Ａが一体的に光軸方向に移動され、さらにヘリコイド結合されている前群レンズ２が光軸方向に移動される。これにより、前群レンズ２と後群レンズ３が同時に所定の光軸方向位置まで移動され、ズーミング動作が行われる。一方、フォーカシング時には、フォーカスリング５を回転操作すると、ヘリコイドリング８Ａが一体に回転される。このとき、移動リング７Ａは図には表れない光軸方向のキー構造によって回転されることはなく、またカムリング６の外面カム突起６２との係合によって光軸方向にも移動されることはない。そして、ヘリコイドリング８Ａの回転によってヘリコイド結合されたレンズ枠２１のスリーブ部２４、すなわち前群レンズ２が光軸方向に移動され、所定のフォーカシング状態となる。これらズーミング時及びフォーカシング時のいずれの場合でも、前群レンズ２は内筒１１との間に構成された前述したキー構造によって回転されることはない。そのため、前群レンズ２のレンズ枠２１に図には表れないフィルタやフード等のアクセサリを装着した場合でも、これらのアクセサリがズーミング時やフォーカシング時に回転するようなことはない。
【発明の開示】
【発明が解決しようとする課題】
【０００５】
図６に示したレンズ鏡筒では、前群レンズ２をズーミング時とフォーカシング時のそれぞれにおいて独立した状態で光軸方向に移動させる必要があるため、フォーカスリング５と一体に回転されるヘリコイドリング８Ａと、ズームリング４と一体に回転されるカムリング６との間に移動リング７Ａを介在させ、ヘリコイドリング８Ａとカムリング６の各回転動作が互いに干渉しないように構成している。すなわち、移動リング７Ａはフォーカシング時にヘリコイドリング８Ａの回転を自由にさせる一方で、ズーミング時にはカムリング６による光軸方向の移動をヘリコイドリング８Ａに伝達させる必要がある。また、ヘリコイドリング８Ａの回転により前群レンズ２のレンズ枠２１、すなわちスリーブ部２４をヘリコイド結合するために径方向に積層する構成をとる必要がある。そのため、カムリング６の外周には、移動リング７Ａとヘリコイドリング８Ａと前群レンズ２のスリーブ部２４の３つのリング状部材を径方向に重ねて配設する必要があり、この部分の径寸法が大きくなり、結果としてレンズ鏡筒を小径化する際の障害になっている。
【０００６】
本発明の目的は、前玉繰り出し方式のレンズ鏡筒を構成する複数のリング部材の径方向の積層数を低減することで小径化を図ったレンズ鏡筒を提供するものである。
【課題を解決するための手段】
【０００７】
本発明は、主筒内において光軸方向に移動可能なレンズと、主筒の外周に配設されて当該レンズをズーミング動作させるための回転操作可能なズームリングと、主筒の外周に配設されて当該レンズをフォーカシング動作させるための回転操作可能なフォーカスリングと、主筒の内部に配設されてズームリングにより回転されるカムリングと、主筒の内部に配設されてカムリングの回転により光軸方向に移動される移動リングと、フォーカスリングにより回転されるヘリコイドリングと、当該ヘリコイドリングに保持された前記レンズのレンズ枠とを備え、ヘリコイドリングは移動リングにヘリコイド係合されていることを特徴とする。
【発明の効果】
【０００８】
本発明によれば、ヘリコイドリングを移動リングにヘリコイド係合させ、レンズ枠とヘリコイドリングとをヘリコイド係合させていないので、レンズ枠をヘリコイドリングに対して径方向に積層させる必要がなくなり、これによりカムリングの外周には移動リングとヘリコイドリングのみを径方向に重ねて配設すればよく、レンズ鏡筒の小径化が実現できる。
【発明を実施するための最良の形態】
【０００９】
本発明は、主筒の内筒の外周にカムリングが配設され、主筒の外筒の外周にズームリングとフォーカスリングが配設され、移動リングとヘリコイドリングはカムリングとフォーカスリングとの間に径方向に重ねられた状態で配設されている。そのため、カムリングとフォーカスリングとの間の径方向の寸法が縮小でき、レンズ鏡筒の小径化が可能になる。また、本発明は、光軸回りの回転が規制されているレンズ、特に前玉レンズに適用することで、当該前玉レンズを回転することなくズーミングとフォーカシングが可能になり、前玉レンズに装着したアクセサリを回転させるようなこともない。
【実施例１】
【００１０】
次に、本発明の実施例を図面を参照して説明する。図１は本発明にかかるレンズ鏡筒の断面図であり、光軸を中心に上下が対称であるのでここでは上半分のみを示している。また、図２は異なる位置での同様の断面図、図３は当該レンズ鏡筒の主要部を構成する各部材の概略構成を示す部分分解斜視図である。これらの図において、後述するレンズを光軸方向に移動させる際の直進案内筒としての小径の内筒１１と、それよりも大径の外筒１２とが後端部においてネジ１３により一体化されて主筒１が構成されている。なお、このネジ１３により図には表れないカメラボディ側のレンズマウントに装着するためのレンズバヨネット部１４が同時に主筒に固定される。前記内筒１１の内部には前群レンズ２と後群レンズ３がそれぞれ光軸方向に移動可能に内装されている。ここで、前記内筒１１の内周面の円周一部には光軸方向にキー溝１１１が形成されており、後述するように前記前群レンズ２のレンズ枠２１の円周一部に突出形成されたキー２３が当該キー溝１１１に係合されていることにより、前群レンズ２は光軸方向に移動することができても、光軸回りに回転することはできないようになっている。
【００１１】
前記外筒１２の外周にはズームリング４とフォーカスリング５が光軸方向に並んで配設され、各リング４，５はそれぞれ光軸回りに回転操作可能に支持されている。ここでは、外筒１２の外周面に設けたリング溝１２１，１２２にそれぞれのリング４，５の内周面に設けた突起４１，５１を嵌入させることで、各突起４１，５１がそれぞれリング溝１２１，１２２内を回転方向に移動しながら回転操作が可能とされている。
【００１２】
また、前記内筒１１の外周にはカムリング６が回転可能に支持されている。ここではカムリング６の後端部に内径方向に突出したバヨネット片６３を内筒１１の対応する位置に設けたバヨネット溝１１４に嵌合させており、回転方向には自在であるが光軸方向には内筒１１に一体化している。このカムリング６は前記ズームリング４から内径方向に突出し、外筒１２に設けたスリット１２３を径方向に貫通した連結ビス４１によって連結され、前記ズームリング４と一体に回転動作されるようになっている。前記カムリング６は内周面に内面カム６１が形成されており、前記後群レンズ３のレンズ枠３１に設けたカムフォロア３２が前記内筒１１に光軸方向に設けたガイド溝１１２を径方向に貫通した上で前記内面カム６１には係合され、カムリング６が回転されたときに前記内面カム６１とカムフォロア３２とのカム係合によって後群レンズ３が光軸方向に移動される。
【００１３】
また、前記カムリング６の外周面には光軸方向に所要の間隔をおいて半径方向に突出した外面カム突起６２が形成されているとともに、当該カムリング６の外周には移動リング７が嵌合されている。この移動リング７の内周面にはカム条７１と光軸方向に延びるキー７２とが形成されており、前記カム条７１は前記カムリング６の外面カム突起６２間に光軸方向に挟まれた状態に係合され、前記キー７２は前記内筒１１の前端フランジの円周一部に設けたキー凹部１１３に係合されている。そのため、カムリング６が回転されたときに、前記移動リング７はキー７２とキー凹部１１３との係合によって回転が規制された状態で外面カム突起６２とカム条７１とのカム係合によって光軸方向に移動される。
【００１４】
前記移動リング７の外周面の光軸方向の後端側の領域には雄ヘリコイド７３が形成されている。また、この移動リング７の外周には内周面に雌ヘリコイド８１が形成されたヘリコイドリング８が嵌合され、これら雌ヘリコイド８１と雄ヘリコイド７３とがヘリコイド結合されている。前記ヘリコイドリング８の外周面の円周一部には外径方向にキー８２が突出されており、前記フォーカスリング５の内周面の円周一部に形成された光軸方向のキー溝５２に係合されている。これにより、フォーカスリング５を回転操作すると、キー８２とキー溝５２との係合によってヘリコイドリング８は一体的に回転される。また、前記ヘリコイドリング８は前端部の内面の円周方向の複数箇所に内径方向に突出したバヨネット爪８３が形成されており、これらのバヨネット爪８３は前記前群レンズ２のレンズ枠２１の外周面の円周複数箇所に外径方向に突出したバヨネット部２２に係合し、前群レンズ２のレンズ枠２１と光軸方向に一体化されている。ここで、前記バヨネット爪８３及びバヨネット部２２の円周方向の長さは、フォーカスリング５の回転によってヘリコイドリング８が回転された場合でも両者の係合が離脱されることがない長さに設定されている。また、このレンズ枠２１の外周面の円周一部には、前述したようにキー２３が外径方向に突出されており、前記内筒１１の内周面の前記キー溝１１１に係合されて回転が規制されるようになっている。
【００１５】
この実施例のレンズ鏡筒では、ズーミング時には、ズームリング４を回転操作するとこれと一体にカムリング６が回転される。図４はズーミング時の各部の移動方向を示す図１と同じ図であり、同図において、両方向矢印記号は光軸方向の移動を示し、○内に×印記号は光軸回りの回転方向の移動を示し、無記号は停止状態を示している。カムリング６の回転により内面カム６１に係合している後群レンズ３が光軸方向に移動される。またこれと同時に、外面カム突起６２に係合している移動リング７が光軸方向に移動される。この移動リング７の移動はキー７２とキー凹部１１３との係合によって回転されることがなく、またこの移動リング７にヘリコイド係合されたヘリコイドリング８に対してフォーカスリング５から回転方向の力が加えられていないので、ヘリコイドリング８は移動リング７と共に光軸方向に一体的に移動される。さらに、ヘリコイドリング８にバヨネット係合されている前群レンズ２のレンズ枠２１も光軸方向に一体的に移動されることになり、結局前群レンズ２が光軸方向に移動される。これにより、前群レンズ２と後群レンズ３が同時に所定の光軸方向位置まで移動され、ズーミング動作が行われる。このとき前群レンズ２のレンズ枠２１は内筒１１との間に構成された前述したキー構造によって回転されることはなく、前群レンズ２のレンズ枠２１に装着した図には示されていないフィルタやフード等のアクセサリが回転されるようなことはない。
【００１６】
一方、フォーカシング時には、フォーカスリング５を回転操作すると、ヘリコイドリング８が一体に回転される。図５はフォーカシング時の各部の移動方向を示す図１と同じ図であり、図４と同じ記号で動作方向を示している。このとき、移動リング７はキー７２とキー凹部１１３との係合によって回転されることはなく、またカムリング６が回転されないので固定状態にある外面カム突起６２との係合によって光軸方向に移動されることもない。そのため、ヘリコイドリング８の回転によってヘリコイド結合されたヘリコイドリング８のみが回転しながら光軸方向に移動される。そして、ヘリコイドリング８にバヨネット係合されているレンズ枠２１が光軸方向に一体的に移動されるため、前群レンズ２が光軸方向に移動され、所定のフォーカシング状態となる。このフォーカシング時においても、前群レンズ２は前述したキー構造によって回転されることはないので、レンズ枠２１に装着したアクセサリが回転されることはない。また、ヘリコイドリング８が回転する一方で前群レンズ２が回転しない状態であっても、両者を係合させているバヨネット爪８３及びバヨネット部２２の円周方向の長さを前述の長さに設定しているので、ヘリコイドリング８とレンズ枠２１の係合が外れることはない。
【００１７】
このように、実施例のレンズ鏡筒では、ズーミング時には前群レンズ２と後群レンズ３を光軸方向に移動させてズーミング動作を実行し、フォーカシング時には前群レンズ２のみを光軸方向に移動させてフォーカシング動作を実行することが可能である。また、いずれの場合でも前群レンズ２が回転されることはない。そして、前群レンズ２を光軸方向に移動させるための構成である内筒１１の外周に嵌合したカムリング６と、外筒１２に嵌合したフォーカスリング５との間には、移動リング７とヘリコイドリング８を径方向に重ねた状態で構成すればよく、図６に示した従来構成のように、これらのリングに加えてさらにレンズ枠２１のスリーブ部２４を径方向に重ねる必要がない。したがって、この部分において径方向に積層するリング部材の数を低減し、レンズ鏡筒を小径化することが可能になる。
【００１８】
また、実施例のレンズ鏡筒では、前群レンズ２のレンズ枠２１に対してヘリコイドリング８をバヨネット係合させているので、主筒１内に前群レンズ２を組み立てる作業が容易なものとなる。すなわち、主筒１内に後群レンズ３を組み込んだ後に、カムリング６、移動リング７、ヘリコイドリング８、フォーカスリング５、ズームリング４を組立て、その後に前群レンズ２をヘリコイドリング８に組み付ければよい。因に、図６に示した従来のレンズ鏡筒では、主筒１に移動リング７Ａ、ヘリコイドリング８Ａを組み付けるときに、予めヘリコイドリング８Ａにヘリコイド結合しておいた前群レンズ２を組み付ける必要があり、レンズ鏡筒の組立て作業が煩雑なものになることは避けられない。
【００１９】
本発明は実施例の二群のレンズ構成のレンズ鏡筒に限られるものではなく、カムリングによって複数又は複数群のレンズのズーミングを行い、そのうちの前群レンズを含む一部のレンズをフォーカシングするレンズ構成のレンズ鏡筒であれば、当該前群レンズを移動させる機構について本発明を適用することが可能である。
【図面の簡単な説明】
【００２０】
【図１】実施例のレンズ鏡筒における光軸の上半分の断面図である。
【図２】図１とは異なる箇所の断面図である。
【図３】主要部を部分に分解した概略斜視図である。
【図４】ズーミング時の各部の移動状態を示す図である。
【図５】フォーカシング時の各部の移動状態を示す図である。
【図６】従来のレンズ鏡筒の光軸の上半分の断面図である。
【符号の説明】
【００２１】
１  主筒
１１  内筒
１２  外筒
２  前群レンズ
３  後群レンズ
４  ズームリング
５  フォーカスリング
６  カムリング
７  移動リング
８  ヘリコイドリング
【図１】
2006145562.tif 000003
【図２】
2006145562.tif 000004
【図３】
2006145562.tif 000005
【図４】
2006145562.tif 000006
【図５】
2006145562.tif 000007
【図６】
2006145562.tif 000008